(57)【要約】【課題】組立て・分解における作業性を損なうことなくかつ余分なスペースを必要とせずに段ボール製スリーブが補強された組立て・分解自在のコンテナを提供する。【解決手段】組立て状態のコンテナによる物品の搬送および分解状態でのコンテナの返送が所定回数だけ繰り返された後に、次のようにして当該コンテナの段ボール製スリーブ２０が補強される。まず、そのスリーブ２０が曲がり矯正具１００によって挟み込まれることにより、スリーブ２０における曲がりが矯正される。次に、鋼鉄製の長尺状補強板２００が、液状接着剤を塗布された状態で、その曲がり矯正具１００の係合部材１０２における貫通孔１０２ｈを介して、スリーブ２０にて構成されるべき周壁内に挿入される。その後、その補強板２００の両端に相当する位置でスリーブ２０を挟み込むように２個のコの字型部材２０２がそれぞれ取り付けられる。【選択図】図７
2005313945.tif 000002
【特許請求の範囲】
【請求項１】
底面を構成すべきパレットと、当該パレット上に載置されて周壁を構成すべき段ボール製のスリーブと、当該スリーブの上方開口を覆うように配置されて上面を構成すべき蓋部材とを有する組立て・分解自在のコンテナであって、
前記スリーブにて構成されるべき周壁内に、当該コンテナが組立てられたときに鉛直方向を向くように挿入された長尺状の補強板を備えることを特徴とするコンテナ。
【請求項２】
前記挿入された補強板の端部の一方または双方に相当する位置で前記スリーブを挟み込むように前記スリーブの周縁部に取り付けられたコの字型部材を更に備えることを特徴とする、請求項１に記載のコンテナ。
【請求項３】
前記補強板は、流動性を有する接着剤を塗布された状態で前記周壁内に挿入されて当該接着剤によって固定されていることを特徴とする、請求項１に記載のコンテナ。
【請求項４】
前記補強材は鋼鉄製であることを特徴とする、請求項１から３までのいずれか１項に記載のコンテナ。
【請求項５】
底面を構成すべきパレットと、当該パレット上に載置されて周壁を構成すべき段ボール製のスリーブと、当該スリーブの上方開口を覆うように配置されて上面を構成すべき蓋部材とを有する組立て・分解自在のコンテナの補強方法であって、
前記スリーブにて構成されるべき周壁内に、当該コンテナが組立てられたときに鉛直方向を向くように長尺状の補強板を挿入するステップを備えることを特徴とする補強方法。
【請求項６】
前記挿入された補強板の端部の一方または双方に相当する位置で前記スリーブを挟み込むようにコの字型部材を前記スリーブの周縁部に取り付けるステップを更に備えることを特徴とする、請求項５に記載の補強方法。
【請求項７】
前記補強板が前記周壁内に挿入される前に前記補強板に流動性を有する接着剤を塗布するステップを更に備えることを特徴とする、請求項５に記載の補強方法。
【請求項８】
前記周壁内に前記補強板を挿入しない状態で前記コンテナによる物品の搬送および前記コンテナの返送を所定回数だけ繰り返した後に、前記補強板が前記周壁内に挿入されることを特徴とする、請求項５に記載の補強方法。
【請求項９】
前記周壁を少なくとも１対の直線状剛性部材によって挟み込むステップを更に備え、
前記少なくとも１対の直線状剛性部材によって挟み込まれた前記周壁内に前記補強板が挿入されることを特徴とする、請求項５または８に記載の補強方法。
【請求項１０】
前記補強材は鋼鉄製であることを特徴とする、請求項５から９までのいずれか１項に記載の補強方法。
【発明の詳細な説明】
【技術分野】
【０００１】
本発明は、通い箱として使用可能な組立て・分解自在のコンテナに関するものであり、更に詳しくは、底面を構成すべきパレットと、当該パレット上に載置されて周壁を構成すべき段ボール製スリーブと、当該スリーブの上方開口を覆うように配置されて上面を構成すべき蓋部材とを有する組立て・分解自在のコンテナに関する。
【背景技術】
【０００２】
従来より、物品の搬送に繰り返し使用可能な通い箱として、底面を構成すべきパレットと、当該パレット上に載置されて周壁を構成すべき段ボール製スリーブと、当該スリーブの上方開口を覆うように配置されて上面を構成すべき蓋部材とを有する組立て・分解自在のコンテナが知られている（例えば特許文献１，３参照）。この種のコンテナは、組立て状態で物品を収容して搬送され、着荷先で物品が取り出された後に分解されて発送元に返却される。そして、発送元では、そのコンテナが組立てられ、新たに搬送すべき物品がそこに収容される。このようにして、この種のコンテナは物品の搬送に繰り返し使用される。
【０００３】
この種のコンテナは、上記のように繰り返し使用が可能であるので、廃材処理が発生しにくいという利点を有している。また、周壁を構成すべきスリーブが段ボール製であるので、軽量であって輸送コストを低減でき、使用前の保管時や物品の搬送後の返却時には折り畳むことによってスペースを有効利用できるという利点を有している。
【特許文献１】特表平８−５０４７１５号公報
【特許文献２】特開平９−３２８１２５号公報
【特許文献３】特開２００２−２５５１７３号公報
【発明の開示】
【発明が解決しようとする課題】
【０００４】
上記のように段ボール製スリーブを使用したコンテナは、金属製コンテナ等に比べ強度が必ずしも十分でなく、物品を収容した複数のコンテナを段積み等をしながら物品の搬送に繰り返し使用されると、段ボール製スリーブが破損したり折れ曲がったりすることがある。このため、この種のコンテナにおけるスリーブは、例えば５〜１０回以下しか使用できないというように、繰り返し使用できる回数に制限がある。
【０００５】
これに対し特許文献２において、上記のような段ボール製スリーブを使用したコンテナに相当する折畳み通い函であって、前記スリーブの壁面を補強するためのスリーブ補強柱を具備し、前記スリーブには、その軸方向に前記スリーブ補強柱を着脱自在に支持するための補強柱支持部が設けられた折畳み通い函が開示されている。
【０００６】
しかし、この折畳み通い函では、折り畳み（分解）の際には補強柱を引き抜き、組立ての際には補強柱をスリーブの補強柱支持部に挿入するという余分な作業が必要となり、また、折り畳み状態で保管するときのスペースも補強柱の分だけ余分に必要となる。
【０００７】
そこで本発明では、組立て・分解における作業性を損なうことなくかつ余分なスペースを必要とせずに段ボール製スリーブが補強された組立て・分解自在のコンテナを提供することを目的とする。
【課題を解決するための手段】
【０００８】
第１の発明は、底面を構成すべきパレットと、当該パレット上に載置されて周壁を構成すべき段ボール製のスリーブと、当該スリーブの上方開口を覆うように配置されて上面を構成すべき蓋部材とを有する組立て・分解自在のコンテナであって、
前記スリーブにて構成されるべき周壁内に、当該コンテナが組立てられたときに鉛直方向を向くように挿入された長尺状の補強板を備えることを特徴とする。
【０００９】
第２の発明は、第１の発明において、
前記挿入された補強板の端部の一方または双方に相当する位置で前記スリーブを挟み込むように前記スリーブの周縁部に取り付けられたコの字型部材を更に備えることを特徴とする。
【００１０】
第３の発明は、第１の発明において、
前記補強板は、流動性を有する接着剤を塗布された状態で前記周壁内に挿入されて当該接着剤によって固定されていることを特徴とする。
【００１１】
第４の発明は、第１からの第３の発明のいずれかにおいて、
前記補強材は鋼鉄製であることを特徴とする。
【００１２】
第５の発明は、底面を構成すべきパレットと、当該パレット上に載置されて周壁を構成すべき段ボール製のスリーブと、当該スリーブの上方開口を覆うように配置されて上面を構成すべき蓋部材とを有する組立て・分解自在のコンテナの補強方法であって、
前記スリーブにて構成されるべき周壁内に、当該コンテナが組立てられたときに鉛直方向を向くように長尺状の補強板を挿入するステップを備えることを特徴とする。
【００１３】
第６の発明は、第５の発明において、
前記挿入された補強板の端部の一方または双方に相当する位置で前記スリーブを挟み込むようにコの字型部材を前記スリーブの周縁部に取り付けるステップを更に備えることを特徴とする。
【００１４】
第７の発明は、第５の発明において、
前記補強板が前記周壁内に挿入される前に前記補強板に流動性を有する接着剤を塗布するステップを更に備えることを特徴とする。
【００１５】
第８の発明は、第５の発明において、
前記周壁内に前記補強板を挿入しない状態で前記コンテナによる物品の搬送および前記コンテナの返送を所定回数だけ繰り返した後に、前記補強板が前記周壁内に挿入されることを特徴とする。
【００１６】
第９の発明は、第５または第８の発明において、
前記周壁を少なくとも１対の直線状剛性部材によって挟み込むステップを更に備え、
前記少なくとも１対の直線状剛性部材によって挟み込まれた前記周壁内に前記補強板が挿入されることを特徴とする。
【００１７】
第１０の発明は、第５から第９の発明のいずれかにおいて、
前記補強材は鋼鉄製であることを特徴とする。
【発明の効果】
【００１８】
上記第１の発明によれば、段ボール製のスリーブによって構成されるべき周壁内に（組立て時における）鉛直方向に長尺状補強板が挿入されるので、物品を収容した状態でのコンテナの段積みや搬送作業などによってスリーブが折れ曲がったり損傷を受けたりするのを防止することができる。したがって、段ボール製スリーブを使用する従来のコンテナよりも耐久性が向上し、コンテナを繰り返し使用できる回数が増える。しかも、補強板はスリーブにて構成されるべき周壁内に挿入されるので、コンテナの組立てや分解時における作業性が低下することはなく、補強板によって余分なスペースを必要とすることもない。
【００１９】
上記第２の発明によれば、補強板の端部に相当する位置でスリーブを挟み込むようにコの字型部材がスリーブ周縁部に取り付けられているので、スリーブ内（周壁内）の補強板の脱落が防止される。また、物品を収容したコンテナが段積みされた場合等において、スリーブ内に挿入された補強板の端部によるパレットや蓋部材の損傷がコの字型部材によって防止されるという効果も得られる。
【００２０】
上記第３の発明によれば、補強板は流動性を有する接着剤を塗布された状態で周壁内に挿入されるので、挿入時の摩擦が低減され、かつ、挿入してから所定時間以上経過した後にはその接着剤によって補強板が周壁内（スリーブ内）に固定される。
【００２１】
上記第４の発明によれば、補強板は鋼鉄製であるので、スリーブの耐久性を大きく向上させることができる。一方、補強板は、周壁内に挿入されるので、錆びにくく、また、錆びた場合にもコンテナの外観を損なうことがない。
【００２２】
上記第５の発明によれば、第１の発明と同様の効果を奏する。
上記第６の発明によれば、第２の発明と同様の効果を奏する。
上記第７の発明によれば、第３の発明と同様の効果を奏する。
【００２３】
上記第８の発明によれば、コンテナによる物品の搬送およびコンテナの返送が所定回数だけ繰り返された後に、そのコンテナのスリーブに対して補強板が挿入されるので、その補強前におけるコンテナは、補強板が挿入されていない分だけ軽量な状態で使用できる。
【００２４】
上記第９の発明によれば、少なくとも１対の直線状剛性部材によって挟み込まれ周壁に補強板が挿入されるので、所定回数使用されて曲がりや折れを有するスリーブに対しても容易に補強板を挿入することができる。
【００２５】
上記第１０の発明によれば、第４の発明と同様の効果を奏する。
【発明を実施するための最良の形態】
【００２６】
以下、添付図面を参照して本発明の実施形態について説明する。
＜１．全体構成および使用方法＞
まず、本発明の一実施形態に係る組立て・分解自在のコンテナの全体的な構成および使用方法について説明する。図１は、本実施形態に係るコンテナの構成を示す分解斜視図である。このコンテナは、底面を構成すべきパレット１０と、周壁を構成すべきスリーブ２０と、上面を構成すべき蓋部材３０とから構成される。パレット１０は、合成樹脂（例えばポリエチレンやポリプロピレンなど）からなり、このパレット１０の周縁部には、スリーブ２０の下端部を着脱自在に差し込めるように溝が設けられている。スリーブ２０は、段ボール製の４角筒状部材であって、１対の対向壁には折り曲げ線ＢＬが形成されており、図２（ａ）に示すように折り曲げ線ＢＬで折り曲げることにより、図２（ｂ）に示すように折り畳むことができる。スリーブ２０の素材としては多層段ボール（例えば３層段ボール）が好ましいが、これに限定されるものではない。蓋部材３０は、コンテナが組み立てられたときにスリーブ２０の上方開口を覆う上蓋に相当し、パレット１０と同様の合成樹脂からなる。そして、蓋部材３０の周縁部には、スリーブ２０の上端部を着脱自在に差し込めるように溝が設けられている。
【００２７】
このようなコンテナで物品を搬送する際には、パレット１０の周縁部の溝にスリーブ２０の下端部が差し込まれるようにパレット上にスリーブ２０が載置されることで、コンテナが組み立てられ、パレット１０を底面としスリーブを周壁とする容器内に、搬送すべき物品が収容される。その後、蓋部材３０の周縁部の溝にスリーブ２０の上端部が差し込まれるように蓋部材３０がスリーブ２０の上方開口に被せられ、これにより当該開口が閉鎖される。このようにして組み立てられて物品が収容されたコンテナは、保管の際に、図３に示すように上下に複数段が積み重ねられる（段積みされる）。
【００２８】
上記のようなコンテナによって物品が搬送され、着荷先でその物品がコンテナから取り出されると、そのコンテナは、分解されて再使用のために発送元に返送される。このとき、パレット１０とスリーブ２０と蓋部材３０とは分離され、スリーブ２０は上述の図２（ｂ）に示すように折り畳まれる。このようにして分解されたコンテナの複数個分は、図４に示すように、パレット１０同士、スリーブ２０同士、蓋部材３０同士がそれぞれ積み重ねられたコンパクトな状態（以下「返送用積み重ね状態」という）に纏められる。
【００２９】
このような返送用積み重ね状態で発送元に戻ったコンテナは、次に物品を搬送するときに、上述のように再び組立てられて物品が収容される。このようにして、本実施形態に係るコンテナは、組立て→搬送→分解→返送という一連のステップを繰り返しつつ、通い箱として使用される。
【００３０】
このように繰り返し使用される過程で、コンテナを構成する段ボール製のスリーブ２０は、例えば図３の段積み時の加重などによって本来の折れ曲げ線ＢＬ以外の部分で折れ曲がったり、損傷したりすることがある。そこで本実施形態では、組立て→搬送→分解→返送という一連のステップを所定回数（例えば５回）だけ繰り返したときに、スリーブ２０に対して補強のために以下のような加工が施される。
【００３１】
＜２．スリーブの補強方法＞
図５は、本実施形態におけるスリーブ２０を補強するための手順を示すフローチャートであり、上述のように、コンテナについて組立て→搬送→分解→返送という一連のステップが所定回数だけ繰り返されたときに、すなわち、組立て状態のコンテナによる物品の搬送および分解状態でのコンテナの返送が所定回数だけ繰り返されたときに、そのコンテナのスリーブ２０に対して以下の手順で加工が施され、これにより、スリーブ２０にて構成されるべき周壁内に長尺状の補強板が挿入される。
【００３２】
まず、図６（ａ）に示すようにスリーブ２０を挟み込むための治具（ジグ）として曲がり矯正具１００が使用される。この曲がり矯正具１００は、組立て時のスリーブ２０の鉛直方向の長さ（すなわち高さ）よりも若干長い２つの長尺状剛性部材（例えば鋼鉄製部材）を、両部材の一端が当該一端における所定軸を中心に回動可能に結合されており、両部材の他端には互いに係合するための係合部材１０２が取り付けられている。そして、係合部材１０２は、補強板２００を挿入するための長方形状の貫通孔１０２ｈを有している。このような曲がり矯正具１００で、補強板を挿入すべき位置でスリーブ２０を挟み込んで、当該曲がり矯正具１００を図６（ｂ）に示すように係合状態とすることにより、コンテナの繰り返し使用で生じたスリーブ２０（周壁）における曲がりや折れが矯正される（ステップＳ１０）。なお、曲がり矯正具１００を同時に２つ以上使用して補強板２００を挿入するようにしてもよい。
【００３３】
次に、スリーブ２０にて構成されるべき周壁内に挿入すべき長尺状補強板２００に液状接着剤（例えば紙用の糊）を塗布する（ステップＳ２０）。この液状接着剤の塗布は、挿入後の補強板２００の周壁内での固定だけでなく、補強板２００の周壁内への挿入時の摩擦低減をも目的の１つとしている。したがって、ここで塗布される接着剤は、この補強板２００の挿入の際の摩擦を低減出来る程度の流動性を有するものであればよい。なお、この補強板２００は、組立て時におけるスリーブ２０の鉛直方向の長さ（高さ）にほぼ等しい長さの長尺状板材であって、本実施形態では鋼鉄製であるが、これに限定されるものではなく、段積み時などにおける荷重に耐えられる十分な強度を有する材質からなるものであればよい。
【００３４】
その後、図７（ａ）（ｂ）に示すように、補強板２００を、曲がり矯正具１００の係合部材１０２における貫通孔１０２ｈを経て、スリーブ２０にて構成されるべき周壁内に挿入する（ステップＳ３０）。ここで、スリーブ２０において補強板２００が挿入されるべき部分は曲がりや折れが矯正されており、かつ、補強板２００には液状接着剤が塗布されているので、補強板２００を容易に（スムーズに）周壁内に挿入することができる。なお本実施形態では、補強板２００は、４角筒状部材としてのスリーブ２０における４つの平面状壁のそれぞれに２個ずつ、当該４つの平面状壁のそれぞれの各端面における略３等分の位置に挿入され、１つのスリーブ２０当たり８個の補強板２００が使用される。しかし、挿入すべき補強板２００の位置や個数はこれに限定されるものではなく、補強板２００の材質等を勘案して、段積み時等における荷重に十分に耐えるために適切な個数や位置を適宜選択すればよい。また、上記曲がり矯正具１００は、スリーブ２０によって構成されるべき周壁を１対の直線状剛性部材によって挟み込むことによって当該周壁の曲がりを矯正できるようなものであればよく、図６（ａ）（ｂ）に示すような構成の曲がり矯正具１００に限定されない。また、上記曲がり矯正具１００は補強板２００を挿入するための貫通孔１０２ｈを有しているが、これに代えて、このような貫通孔１０２ｈを有しない曲がり矯正具を使用してもよい。この場合、スリーブ２０のうち当該曲がり矯正具によって挟み込まれた部分近傍の位置において、補強板２００を、スリーブ２０（周壁内）に挿入すればよい。なお、補強板２００は、挿入前に塗布された接着剤により、挿入してから所定時間以上経過した後にはスリーブ２０内（周壁内）に固定される。
【００３５】
このようにして、スリーブ２０にて構成されるべき周壁内に補強板２００が挿入された後、曲がり矯正具１００をスリーブ２０から取り外して（図９（ａ））補強板２００を周壁内に完全に挿入し、図９（ｂ）に示すように、その補強板２００の両端に相当する位置でスリーブ２０を挟み込むように２個のコの字型部材２０２をスリーブ２０の周縁部にそれぞれ取り付ける（ステップＳ４０）。したがって、１つのスリーブ２０に８個の補強板２００が挿入される場合には、図９（ｃ）に示すように、そのスリーブ２０における上端側および下端側の周縁部のそれぞれに８個ずつコの字型部材２０２が取り付けられる。このコの字型部材２０２は、塑性と剛性を有する素材（例えば鋼鉄）からなる矩形の板状部材を図８（ａ）に示すように２カ所で折り曲げる（スリーブ２０の取り付けられたときには略９０度に折り曲げる）ことによって作製することができ、４つの隅部が内側に曲げられることによって爪２０２ｐが形成されている。また、このような爪２０２ｐを有するコの字型部材２０２に代えて、図８（ｂ）に示すように内側に複数の突起２０２ｑを有するコの字型部材２０２を使用してもよい。図８（ａ）または（ｂ）に示すようなコの字型部材２０２をスリーブ２０周縁部の上記位置に取り付ける際には、図９（ｂ）に示すようなペンチに類似した押圧ツール２０６を使用し、この押圧ツール２０６のつかみの部分を作業者が握ることによりコの字型部材２０２が周壁内側に向かって押圧される。これによりコの字型部材２０２は、その爪２０２ｐまたは突起２０２ｑがスリーブ２００の素材である段ボール内に入り込むことによってスリーブ２０に固定される。なお、コの字型部材２０２として同様の形状の樹脂製部材を使用してもよい。また、コの字型部材２０２のスリーブ２０への取り付け方法（固定方法）は上記のものに限定されず、例えば、貫通孔を設けてボルトとナット等からなる締結具でコの字型部材２０２をスリーブ２０に取り付けてもよい。以上のようなコの字型部材２０２の取付によりスリーブ２０の補強が終了する（図５参照）。
【００３６】
＜３．効果＞
上述のような本実施形態によれば、段ボール製のスリーブ２０にその高さにほぼ等しい長さの長尺状補強板２００が挿入されることで、スリーブ２０が補強され、これにより、物品を収容した状態でのコンテナの段積みや搬送作業などによってスリーブ２００が折れ曲がったり損傷を受けたりするのを防止することができる。したがって、段ボール製スリーブを使用する従来のコンテナよりも耐久性が向上し、組立て→搬送→分解→返送という一連のステップにてコンテナを繰り返し使用できる回数が増え、その結果、省資源化に寄与し、物流コストも低減できる。しかも、補強板２００はスリーブ２０にて構成されるべき周壁内に挿入されるので、コンテナの組立てや分解時における作業性が低下することはなく、また、補強板２００によって余分なスペースを必要とすることもない。
【００３７】
また本実施形態では、組立て状態のコンテナによる物品の搬送および分解状態でのコンテナの返送（組立て→搬送→分解→返送という一連のステップ）が所定回数だけ繰り返された後に、そのコンテナのスリーブ２０に対して補強のための加工が施されるので、その補強前におけるコンテナは、補強板２００が挿入されていない分だけ軽量な状態で使用できる。なお、既述のように、補強板２００の挿入の際には曲がり矯正具１００が使用されるので、所定回数使用されて曲がりや折れを有するスリーブ２０に対しても容易に補強板２００を挿入することができる。
【００３８】
さらに、本実施形態では、強度の高い鋼鉄製の補強板２００が使用されることでスリーブの耐久性を大きく向上させることができる一方、補強板２００は、スリーブ２０にて構成されるべき周壁の内部に挿入されるので、錆びにくく、また、錆びた場合にもコンテナの外観を損なうことがない。
【００３９】
さらにまた、本実施形態では、スリーブ２０に挿入された補強板２００の両端に相当する位置でスリーブ２０を挟み込むように２個のコの字型部材２０２がそれぞれ取り付けられるので、補強板２００への接着剤の塗布（ステップＳ２０）と相俟ってスリーブ２０内の補強板２００の脱落が確実に防止される。また、物品を収容したコンテナが段積みされた場合等において、スリーブ２０内に挿入された補強板２００の端部によるパレット１０や蓋部材の損傷がコの字型部材２０２によって防止されるという効果も得られる。
【００４０】
＜４．変形例＞
上記実施形態におけるスリーブ２０の補強方法では、補強板２００は、スリーブ２０にて構成されるべき周壁内に挿入される前に液状接着剤を塗布されるが、液状接着剤を塗布することなく、補強板２００を周壁内に挿入してもよい。この場合においても、その挿入された補強板２００の両端に相当する位置でスリーブ２０を挟み込むように２個のコの字型部材２０２が取り付けられるので（ステップＳ４０）、スリーブ２０内の補強板２００の脱落が防止される。一方、補強板２００に塗布される液状接着剤の接着力が十分に大きい場合には、スリーブ２０周縁部における補強板２００の両端に相当する位置に取り付けるべき２個のコの字型部材２０２の一方または双方を省略してもよい。ただし、スリーブ２０内に挿入された補強板２００の端部によるパレット１０や蓋部材３０の損傷防止の観点から、上記２個のコの字型部材２０２をスリーブ２０に取り付けるのが好ましい。
【００４１】
また、上記実施形態におけるスリーブ２０の補強方法では、組立て→搬送→分解→返送という一連のステップが所定回数だけ繰り返されたコンテナすなわち所定回数だけ使用されたコンテナのスリーブ２０に対して上記ステップＳ１０〜Ｓ４０により補強が施されるが、未使用のスリーブ２０に対してこのような補強が施されてもよい。
【００４２】
また、上記実施形態におけるスリーブ２０の補強方法では、補強板２００のスリーブ２０への挿入の際に曲がり矯正具１００が使用されるが、上記のように未使用のスリーブ２０に補強板２００を挿入する場合等、スリーブ２０に折れや曲がり等が生じていない場合には、曲がり矯正具１００を使用しなくてもよい。
【００４３】
さらに、上記実施形態におけるスリーブ２０の補強方法における各ステップＳ１０〜Ｓ４０は、手作業によって実行されるものとしているが、適宜機械を導入してステップＳ１０〜Ｓ４０の作業の一部または全部を自動化してもよい。
【００４４】
なお、上記実施形態では、パレット１０および蓋部材３０は、合成樹脂で作製されているが、これに限定されるものではなく、これらの一方または双方が、段ボール、木材、金属等の他の素材によって作製されてもよい。
【図面の簡単な説明】
【００４５】
【図１】本発明の一実施形態に係る組立て・分解自在のコンテナの構成を示す分解斜視図である。
【図２】上記実施形態におけるスリーブの折り畳みを説明するための図である。
【図３】上記実施形態に係る複数のコンテナに物品を収容して段積みにした状態を示す正面図である。
【図４】上記実施形態に係る複数のコンテナを分解して積み重ねた状態（返送用積み重ね状態）を示す正面図である。
【図５】上記実施形態におけるスリーブを補強するための手順を示すフローチャートである。
【図６】上記実施形態において補強板の挿入に際して行われるスリーブの曲がりや折れの矯正を説明するための斜視図である。
【図７】上記実施形態においてスリーブを補強するための補強板の挿入を説明するための斜視図（ａ）および挿入中の補強板を示す拡大図（ｂ）である。
【図８】上記実施形態においてスリーブ周縁部における補強板の両端に相当する位置に取り付けられるコの字型部材を示す斜視図である。
【図９】上記実施形態におけるスリーブ周縁部における補強板の両端に相当する位置へのコの字型部材の取り付けを説明するための図である。
【符号の説明】
【００４６】
１０      …パレット
２０      …スリーブ
３０      …蓋部材
１００    …曲がり矯正具
１０２    …係合部材
１０２ｈ  …貫通孔
２００    …（長尺状）補強板
２０２    …コの字型部材
２０２ｐ  …爪
２０２ｑ  …突起
２０６    …押圧ツール
【図１】
2005313945.tif 000003
【図２】
2005313945.tif 000004
【図３】
2005313945.tif 000005
【図４】
2005313945.tif 000006
【図５】
2005313945.tif 000007
【図６】
2005313945.tif 000008
【図７】
2005313945.tif 000009
【図８】
2005313945.tif 000010
【図９】
2005313945.tif 000011